(57)【要約】【課題】ハウジングの成形性が低下するのを防止することが可能なコネクタを提供する。【解決手段】コネクタは、複数の収容部を有するハウジングと、各収容部に収容される端子金具とを備える。ハウジングは、隣接する収容部間に設けられた隔壁の内側に、空間部を有している。そして、ハウジングは、空間部を通る分割面を介して複数の分割体に分割可能とされる。【選択図】図２
2020205164.tif 000002
【特許請求の範囲】
【請求項１】
複数の収容部を有するハウジングと、前記収容部に収容される端子金具とを備え、
前記ハウジングは、隣接する前記収容部間に設けられた隔壁の内側に、空間部を有し、前記空間部を通る分割面を介して複数の分割体に分割可能とされるコネクタ。
【請求項２】
前記ハウジングは、前記複数の分割体が前記分割面に沿う方向に位置ずれするのを規制する位置ずれ規制部を有している請求項１に記載のコネクタ。
【請求項３】
前記複数の分割体が前記分割面を境に離間するのを規制する連結部材を備えている請求項１または請求項２に記載のコネクタ。
【請求項４】
前記連結部材は、前記複数の分割体に装着される装着部と、回路基板に接続される基板接続部とを有する請求項３に記載のコネクタ。
【請求項５】
前記空間部は、前記ハウジングの表面に開口しており、
前記ハウジングの表面における開口部分から前記空間部に前記隔壁の誘電率を調整する部材が挿入される請求項１から請求項４のいずれか１項に記載のコネクタ。
【請求項６】
前記複数の分割体は、同一形状である請求項１から請求項５のいずれか１項に記載のコネクタ。
【発明の詳細な説明】
【技術分野】
【０００１】
本発明は、コネクタに関する。
【背景技術】
【０００２】
特許文献１に開示されたコネクタは、複数の端子収容室を有するコネクタハウジング（以下、ハウジングと略称する）を備えている。ハウジングは、隣接する端子収容室間に介在する隔壁を有している。隔壁には、コネクタのインピーダンスをケーブルに整合させるための肉抜き部が設けられている。
【先行技術文献】
【特許文献】
【０００３】
【特許文献１】特開２００７−１２３０２５号公報
【発明の概要】
【発明が解決しようとする課題】
【０００４】
ところで、コネクタが小型になると、隔壁が薄くなり、肉抜き部の開口幅が小さくなるという事情がある。その結果、肉抜き部を成形する金型の幅寸法も小さくなってしまい、金型が射出成型時の樹脂圧で変形することが懸念される。これに対し、金型を改良しても肉抜き部の開口幅を所定値に収めることができないこともあり、ハウジングの成形性を確保するのが難しいという事情がある。
【０００５】
そこで、ハウジングの成形性を確保することが可能なコネクタを提供することを目的とする。
【課題を解決するための手段】
【０００６】
本開示のコネクタは、複数の収容部を有するハウジングと、前記収容部に収容される端子金具とを備え、前記ハウジングは、隣接する前記収容部間に設けられた隔壁の内側に、空間部を有し、前記空間部を通る分割面を介して複数の分割体に分割可能とされる。
【発明の効果】
【０００７】
本開示によれば、ハウジングの成形性を確保することが可能なコネクタを提供することが可能となる。
【図面の簡単な説明】
【０００８】
【図１】図１は、本実施形態にかかるコネクタの分解斜視図である。
【図２】図２は、コネクタの斜視図である。
【図３】図３は、コネクタの断面図である。
【図４】図４は、ハウジングの正面図である。
【図５】図５は、分割体の分割面側の側面図である。
【発明を実施するための形態】
【０００９】
［本開示の実施形態の説明］
最初に本開示の実施態様を列記して説明する。
本開示のコネクタは、
（１）複数の収容部を有するハウジングと、前記収容部に収容される端子金具とを備え、前記ハウジングは、隣接する前記収容部間に設けられた隔壁の内側に、空間部を有し、前記空間部を通る分割面を介して複数の分割体に分割可能とされる。この構成によれば、空間部が分割された分割空間部を分割体の分割面に凹設し、分割面同士を合わせることで、各分割体を合体し、内側に空間部を有する隔壁を形成することができる。これにより、開口幅が狭い空間部を支障なく成形することができ、ハウジングの成形性を確保することができる。また、開口幅が狭い空間部を成形することができるため、コネクタの小型化に寄与することができる。そして、隔壁に空間部を成形することで、インピーダンス調整用の空気層が形成されるため、インピーダンスの整合を効率良く行うことができる。
【００１０】
（２）前記ハウジングは、前記複数の分割体が前記分割面に沿う方向に位置ずれするのを規制する位置ずれ規制部を有していると良い。この構成によれば、各分割体の位置ずれを、ハウジングとは別の部材で規制する必要がなく、部品点数が増加するのを防止することができる。
【００１１】
（３）前記複数の分割体が前記分割面を境に離間するのを規制する連結部材を備えていると良い。この構成によれば、各分割体が不用意に離間するのを防止することができる。
【００１２】
（４）前記連結部材は、前記複数の分割体に装着される装着部と、回路基板に接続される基板接続部とを有すると良い。この構成によれば、連結部材が各分割体を連結する機能に加えてハウジングを回路基板に固定する機能をも備える。その結果、両機能が別々に備わるよりも、コネクタの構造を簡素化することができる。
【００１３】
（５）前記空間部は、前記ハウジングの表面に開口しており、前記ハウジングの表面における開口部分から前記空間部に前記隔壁の誘電率を調整する部材が挿入されると良い。この構成によれば、誘電率を調整する部材によって隔壁の誘電率を適宜に設定することができる。
【００１４】
（６）前記複数の分割体は、同一形状であると良い。この構成によれば、各分割体の組み付けパターンが一通りに定まるため、各分割体の組み付けを円滑に行うことができる。また、複数種の分割体を分けて管理する必要がなく、部品管理の煩わしさから解消される。
【００１５】
［本開示の実施形態の詳細］
本開示のコネクタの具体例を、以下に図面を参照しつつ説明する。なお、本発明はこの例示に限定されるものではなく、特許請求の範囲によって示され、特許請求の範囲と均等の意味および範囲内でのすべての変更が含まれることが意図される。
【００１６】
本実施形態にかかるコネクタは、図３に示すように、回路基板９０の表面に設置される基板用コネクタであって、ハウジング１０と、端子金具５０と、連結部材６０とを備える。また、コネクタは、ハウジング１０に任意に装着される部材として調整部材８０を備える。
【００１７】
＜ハウジング１０＞
ハウジング１０は合成樹脂製であって、図１に示すように、複数の分割体１１に分割される。本実施形態の場合、ハウジング１０は、同一形状の２つの分割体１１で構成される。
【００１８】
分割体１１は、上下方向に長い角柱状をなし、図３に示すように、上下方向に貫通する収容部１２を有している。収容部１２は、断面矩形の孔であって、内部に端子金具５０が挿入されて収容される。分割体１１は、上面に、テーパ状に傾斜して収容部１２に連なる誘い込み部１３を有している。
【００１９】
図１に示すように、分割体１１は、外周の４側面のうち、相手側の分割体１１と対向する位置に、分割面１４を有している。分割体１１は、収容部１２の内面と分割面１４との間に、分割隔壁１５を有している。分割隔壁１５は、収容部１２の外周を構成する４側壁のうちの１側壁であって、他の３側壁より薄肉になっている。
【００２０】
分割体１１の分割面１４には、前後方向の中間部に、分割空間部１６が凹設されている。分割空間部１６は、収容部１２と隣接する位置に配置される。分割空間部１６は、上下方向に延びる浅底の溝状をなし、分割面１４に開放され、上端が分割体１１の上面に開口し、下端が分割体１１の下面に開口している。分割空間部１６の奥面（凹みの底面）は、上下方向に沿った平坦面になっている。分割空間部１６は、前後方向に一定の幅寸法（溝幅）で形成されている。
【００２１】
図１および図５に示すように、分割体１１の分割面１４には、分割空間部１６を挟んだ前後端部に、切欠状の凹部１７およびリブ状の突部１８が上下に並んで設けられている。
【００２２】
分割体１１の分割面１４が手前側に向けて配置されるときに（図１の右側の分割体１１を参照）、分割面１４の前端部に設けられた凹部１７は、上下方向に延びる断面矩形の溝状をなし、分割体１１の前面、上面および分割面１４に開口している。分割面１４の前端部に設けられた突部１８は、上下方向に延びる角柱状をなし、上面が凹部１７の下面と面一で連続し、下面が分割体１１の下面と面一で連続している。突部１８の分割面１４からの突出寸法は、凹部１７の分割面１４からの凹み寸法と同一となるように設定されている。
【００２３】
分割面１４の後端部に設けられた凹部１７は、上下方向に延びる断面矩形の溝状をなし、分割体１１の後面、下面および分割面１４に開口している。分割面１４の後端部に設けられた突部１８は、上下方向に延びる角柱状をなし、下面が凹部１７の上面と面一で連続し、上面が分割体１１の上面と面一で連続している。
【００２４】
上述のとおり、凹部１７は、分割面１４の前端部の上方および分割面１４の後端部の下方に配置されている。突部１８は、分割面１４の前端部の下方および分割面１４の後端部の上方に配置されている。図５に示すように、凹部１７および突部１８は、分割面１４の中心部を中心として点対称に配置される。突部１８の分割面１４からの突出寸法は、凹部１７の分割面１４からの凹み寸法と同一となるように設定されている。
【００２５】
各分割体１１が左右方向から接近し、各分割体１１の分割面１４における分割空間部１６を除く部分（前後の領域）が当たると、図４に示すように、一方の分割体１１の凹部１７が他方の分割体１１の突部１８に適合して嵌まり込み、他方の分割体１１の凹部１７が一方の分割体１１の突部１８に適合して嵌まり込む。これにより、各分割体１１が、分割面１４に沿って上下方向および前後方向に位置ずれするのが規制される。つまり、凹部１７および突部１８は、位置ずれ規制部として機能する。図２に示すように、各分割体１１が合体した状態において、分割隔壁１５は左右に並んでハウジング１０の隔壁１９を構成し、分割空間部１６も左右に並んでハウジング１０の空間部２０を構成する。空間部２０は、隔壁１９の内側において、全周が閉じた閉ループ孔として構成される。具体的には、空間部２０は、前後方向に細長いスリット状をなし、隔壁１９を上下方向に貫通し、上下端がハウジング１０の表面（隔壁１９の上下面）に開口している。
【００２６】
分割体１１の前後面は、分割面１４と直交して平坦に配置される。分割体１１の前後面には、図１に示すように、分割面１４から反対側の側面寄りの位置に、上下方向に延びるスリット溝状の装着溝２１が凹設されている。
【００２７】
＜端子金具５０＞
端子金具５０は、導電性の金属板を曲げ加工などして一体に成形される。図１に示すように、端子金具５０は、基部５１と、基部５１から上方に突出する一対の弾性片５２と、各弾性片５２と並んで基部５１から上方に突出する係止部５３と、基部５１の下端から側方に突出するリード部５４とを有している。各弾性片５２は、互いに対向して配置される。係止部５３は、板面が各弾性片５２の板面と直交し、分割体１１の図示しない係止溝に挿入されて係止される。各弾性片５２間には相手側端子４０が挿入されて電気的に接続される。図３に示すように、リード部５４は、下面（下方を向く板面）が回路基板９０の表面に沿って配置され、回路基板９０に形成された導電部分に半田付けして接続される。
【００２８】
＜連結部材６０＞
連結部材６０は、金属製の板材であって、ハウジング１０に装着され、各分割体１１を連結状態に保持する。図１に示すように、連結部材６０は、ハウジング１０の前後面をそれぞれ覆うように、ハウジング１０に対をなして装着される。対をなす連結部材６０は互いに同一形状とされている。
【００２９】
連結部材６０は、上下方向および左右方向に沿った矩形平板状の本体部６１と、本体部６１の左右端から直角に屈曲して突出する装着部６２と、本体部６１の下端から装着部６２と反対側へ直角に屈曲して突出する基板接続部６３とを有している。装着部６２は、側面視矩形の板片状をなし、本体部６１の左右端における下端部を除く部分に上下方向に連なっている。基板接続部６３は、平面視矩形の板片状をなし、本体部６１の下端に左右方向に連なっている。基板接続部６３は、下面（下方を向く板面）が回路基板９０の表面に沿って配置され、回路基板９０に半田付けして固定される。
【００３０】
ハウジング１０の前面を覆う連結部材６０の場合、装着部６２が後方へ突出し、各分割体１１の前面に設けられた装着溝２１に圧入され、基板接続部６３が前方へ突出して配置される。ハウジング１０の後面を覆う連結部材６０の場合、装着部６２が前方へ突出し、各分割体１１の後面に設けられた装着溝２１に圧入され、基板接続部６３が後方へ突出して配置される。
【００３１】
＜調整部材８０＞
調整部材８０は、樹脂製の板材であって、インピーダンスを調整するため、空間部２０に任意に差し込まれる。本実施形態の場合、調整部材８０は、隔壁１９の空間部２０に圧入される。調整部材８０が空間部２０に挿入されることにより、調整部材８０が空間部２０に挿入されない場合と比べ、隔壁１９の誘電率を上げることができる。調整部材８０は、空間部２０に適合可能なように前後方向に細長い断面矩形状をなし、矩形の平板状をなしている。例えば、誘電率が異なる複数種の調整部材８０が用意されることにより、良好な伝送特性を実現することができる。
【００３２】
＜組み付け工程および作用＞
各分割体１１は、左右から合体されることで、分割面１４同士が互いに向き合い、且つ、一方の分割体１１の突部１８および凹部１７がそれぞれ他方の分割体１１の凹部１７および突部１８に適合して嵌まり込む。これにより、ハウジング１０が一体に形成される。そして、各分割体１１の分割隔壁１５が幅方向に並んで隔壁１９が形成され、各分割体１１の分割空間部１６が幅方向に並んで空間部２０が形成される。図１に示すように、空間部２０は、隔壁１９の内側において、隣接する収容部１２間の中間位置に配置される。ハウジング１０は、平面視において、隔壁１９の中心部を中心とした点対称の形状をなしている。
【００３３】
次いで、各分割体１１にまたがるようにして前方および後方からそれぞれ連結部材６０が装着される。連結部材６０の左右の装着部６２が各分割体１１の装着溝２１に圧入されることで、連結部材６０が各分割体１１（ハウジング１０）に装着される。また、連結部材６０が各分割体１１にまたがって装着されることにより、各分割体１１が分割面１４を境として離間するのが防止される。
【００３４】
図３に示すように、ハウジング１０の各収容部１２には端子金具５０が収容される。その後、コネクタは回路基板９０の表面に設置され、リフロー工程によって端子金具５０のリード部５４が回路基板９０の導電部分に半田付けして接続される。また、連結部材６０の基板接続部６３も回路基板９０の表面に半田付けして接続される。ハウジング１０は連結部材６０を介して回路基板９０に固定される。
【００３５】
上記により製造されるコネクタは、隔壁１９の空間部２０によるインピーダンス整合作用によって良好な伝送特性を得ることができる。また、調整部材８０が空間部２０に挿入されることで、インピーダンスを適宜に調整することができる。この場合、空間部２０がハウジング１０の上下面に開口するため、空間部２０に対して調整部材８０を上下いずれの側からも挿入することができる。
【００３６】
ここで、隔壁１９の内側に形成される空間部２０は、各分割体１１の分割面１４に凹設された分割空間部１６によって形成される。分割空間部１６は、分割体１１の分割面１４に開口する凹形状をなしている。このため、成形時、分割面１４を成形する金型によって分割空間部１６を精度良く容易に形成することができる。
【００３７】
従来の場合、コネクタが小型になり、隔壁１９の幅寸法が小さくなると、空間部２０の開口幅も小さくなり、空間部２０の開口幅に対応した幅寸法の金型を用意するのが難しくなるという問題があった。その点、本実施形態によれば、コネクタが小型になっても、上述のとおり、精度良く成形された分割空間部１６から空間部２０が形成されるため、開口幅が小さい空間部２０であっても支障なく成形することができる。
【００３８】
また、ハウジング１０は各分割体１１が分割面１４に沿う方向に位置ずれするのを規制する凹部１７および突部１８を有しているため、各分割体１１の位置ずれを、ハウジング１０とは別の部材で規制する必要がなく、部品点数が増加するのを防止することができる。さらに、各分割体１１は、凹部１７および突部１８が分割面１４の中心部を中心として点対称に配置され、互いに同一形状とされるため、組み付けおよび部品管理の煩わしさから解消される。
【００３９】
また、各分割体１１が分割面１４を境に離間するのを規制する連結部材６０を備えているため、各分割体１１が不用意に離間するのを防止することができる。しかも、連結部材６０は回路基板９０に固定される基板接続部６３を有し、ハウジング１０は連結部材６０を介して回路基板９０に固定される。このため、連結部材６０とは別にハウジング１０を回路基板９０に固定するための部材を設ける必要がなく、コネクタの構造を簡素化することができる。
【００４０】
［本開示の他の実施形態］
今回開示された実施の形態はすべての点で例示であって制限的なものではないと考えるべきである。
上記実施形態の場合、２つの分割体１１によってハウジング１０が構成されたが、他の実施形態としては、ハウジングが空間部２０を通る分割面を介して複数の分割体に分割可能になっていればよく、３つ以上の分割体によってハウジングが構成されてもよい。この場合、各分割体は同一形状である必要はなく、例えば、ハウジングの幅方向の中間部には、両側面に分割空間部１６が形成された分割体が配置され、ハウジングの幅方向の端部には、上記実施形態と同様、一側面に分割空間部１６が形成された分割体が配置されると良い。
上記実施形態の場合、調整部材８０が樹脂製の板材であったが、他の実施形態としては、調整部材の材料は任意であって。例えば、調整部材は金属製であっても良い。また、調整部材の形態も任意であって、例えば、調整部材は接着材であっても良い。調整部材が接着材の場合、空間部２０に液状の調整部材を流し込み、空間部２０内で固化させることができる。
上記実施形態の場合、空間部２０が隔壁１９を貫通する形態であったが、他の実施形態としては、空間部がハウジングの表面のうちの一面（上面または下面）のみに開口する形態であってもよい。また、空間部はハウジングの表面に開口せずに全体が隔壁の内側に設けられる閉塞孔であってもよい。
【符号の説明】
【００４１】
１０…ハウジング
１１…分割体
１２…収容部
１３…誘い込み部
１４…分割面
１５…分割隔壁
１６…分割空間部
１７…凹部（位置ずれ規制部）
１８…突部（位置ずれ規制部）
１９…隔壁
２０…空間部
２１…装着溝
４０…相手側端子
５０…端子金具
５１…基部
５２…弾性片
５３…係止部
５４…リード部
６０…連結部材
６１…本体部
６２…装着部
６３…基板接続部
８０…調整部材
９０…回路基板
【図１】
2020205164.tif 000003
【図２】
2020205164.tif 000004
【図３】
2020205164.tif 000005
【図４】
2020205164.tif 000006
【図５】
2020205164.tif 000007